(57)【要約】【課題】固定用の孔を形成することでしっかりと固定できるとともに、その孔から雨水が浸入しないような折半屋根に使用されるソーラパネルのフレーム支持用の支持金具を提供すること。【解決手段】折半屋根の上部位置に嵌合されるベース金具２と、ベース金具２の上部に取り付けられるブラケット金具３とを備え、ベース金具２は水平部７と水平部７の左右両端位置から直交方向に下垂される下垂部８とから構成される上冠部５と、両下垂部８下端位置からそれぞれ斜め外方に向かって拡開するように下垂配置される左右一対のハの字状下垂部６とから構成される。ハの字状下垂部６には前記折半屋根に締結部材によって締結するための複数の透孔１２が形成され、透孔１２の周囲には逆Ｕ字状の切り欠き溝１５が形成されている。【選択図】図１
0003176957.tif 000002
【実用新案登録請求の範囲】
【請求項１】
端面側形状が台形形状として現れる折半屋根にソーラパネルを取り付ける際に使用されるソーラパネルのフレーム支持用の支持金具であって、
ベース金具と、同ベース金具の上部に取り付けられるパネルフレームを支持するブラケット金具とを備え、
前記折半屋根の上側に凸に形成された上部位置に嵌合される前記ベース金具は水平部と同水平部の左右両端位置から直交方向に下垂される下垂部とから構成される上冠部と、前記両下垂部の下端位置からそれぞれ斜め外方に向かって拡開するように下垂配置される左右一対のハの字状下垂部とから構成され、
前記ハの字状下垂部には前記折半屋根に締結部材によって締結するための１又は複数の透孔が形成され、同透孔の周囲には逆Ｕ字状又は逆Ｖ字状の切り欠き溝が形成されていることを特徴とする折半屋根に使用されるソーラパネルのフレーム支持用の支持金具。
【請求項２】
前記ブラケット金具はソーラパネルのフレームの端面が当接する当接部と、前記フレームの上側板部と下側板部を上下方向から挟持する第１及び第２の挟持部と、前記フレームの上側板部と下側板部との間に挿入される挿入部とを備えることを特徴とする請求項１に記載の折半屋根に使用されるソーラパネルのフレーム支持用の支持金具。
【請求項３】
前記ベース金具と前記ブラケット金具の間には前記ブラケット金具の設置位置を高くするための嵩上げ用フレームが配設されていることを特徴とする請求項１又は２に記載の折半屋根に使用されるソーラパネルのフレーム支持用の支持金具。
【考案の詳細な説明】
【技術分野】
【０００１】
本発明は折半屋根にソーラパネルを取り付ける際に使用されるフレーム支持用の支持金具に関するものである。
【背景技術】
【０００２】
従来からソーラパネルを取り付ける際にまず、屋根側にフレーム支持用の支持金具を固定し、この支持金具に対してフレームに支持されたソーラパネルを取り付けるようにしている。このような支持金具が開示された先行技術として特許文献１を示す。
【先行技術文献】
【特許文献】
【０００３】
【特許文献１】特開２０１１−２４６８９５号公報
【考案の概要】
【考案が解決しようとする課題】
【０００４】
しかし、従来では折半屋根にソーラパネルを取り付けるための好適なソーラパネルのフレーム支持用の支持金具はなかった。折半屋根は端面側形状が台形形状として現れるように鋼板を屈曲させた屋根であって、厚みはごく薄いものである（通常１ｍｍ以下）。そのため支持金具を固定するにあたりリベットやネジ等を使用してしっかりと固定するならば折半屋根の鋼板に貫通孔を形成することとなる。ところが、折半屋根の鋼板は上記のように薄いこともあって必ずしもきれいな平面となるわけではなく、支持金具をリベットやネジで固定した際に支持金具と鋼板との間に若干の隙間が形成され、雨水が貫通孔から屋内に浸入してしまう場合があった。
そのため、折半屋根に貫通孔を形成させずに固定する場合には支持金具をしっかり固定することが困難であり、また、貫通孔を形成してリベットやネジ等でしっかり支持金具を固定した場合には雨水の浸入を防止することが困難であった。そのため、これらの問題を解消できる折半屋根に使用されるソーラパネルのフレーム支持用支持金具が求められていた。
本考案は、固定用の孔を形成することでしっかりと固定できるとともに、その孔から雨水が浸入しないような折半屋根に使用されるソーラパネルのフレーム支持用の支持金具を提供することにある。
【課題を解決するための手段】
【０００５】
上記の目的を達成するための第１の手段として、端面側形状が台形形状として現れる折半屋根にソーラパネルを取り付ける際に使用されるソーラパネルのフレーム支持用の支持金具であって、ベース金具と、同ベース金具の上部に取り付けられるパネルフレームを支持するブラケット金具とを備え、前記折半屋根の上側に凸に形成された上部位置に嵌合される前記ベース金具は水平部と同水平部の左右両端位置から直交方向に下垂される下垂部とから構成される上冠部と、前記両下垂部の下端位置からそれぞれ斜め外方に向かって拡開するように下垂配置される左右一対のハの字状下垂部とから構成され、前記ハの字状下垂部には前記折半屋根に締結部材によって締結するための１又は複数の透孔が形成され、同透孔の周囲には逆Ｕ字状又は逆Ｖ字状の切り欠き溝が形成されていることをその要旨とする。
また、第２の手段として第１の手段に加え、前前記ブラケット金具はソーラパネルのフレームの端面が当接する当接部と、前記フレームの上側板部と下側板部を上下方向から挟持する第１及び第２の挟持部と、前記フレームの上側板部と下側板部との間に挿入される挿入部とを備えるようにしたことをその要旨とする。
また、第３の手段として第１又は２の手段に加え、前記ベース金具と前記ブラケット金具の間には前記ブラケット金具の設置位置を高くするための嵩上げ用フレームが配設されていることをその要旨とする。
【考案の効果】
【０００６】
本考案の支持金具では、折半屋根に対して孔を形成して共締めされるハの字状下垂部の所定の透孔の位置の周囲に逆Ｕ字状又は逆Ｖ字状の切り欠き溝を形成するようにしたため、切り欠き溝の内部領域であって透孔の周囲をしっかりと折半屋根に密着させることができ、雨水が浸入する可能性を非常に低減させることができる。
【図面の簡単な説明】
【０００７】
【図１】本考案の実施の形態の折半屋根に使用されるソーラパネルのフレーム支持用の支持金具の斜視図。
【図２】同じ支持金具の分解斜視図。
【図３】同じ支持金具を折半屋根にセットした上体の説明図。
【図４】一対の同じ支持金具を折半屋根にセットし、ソーラパネルを取り付けた状態の一部省略側面図。
【図５】同じ支持金具を折半屋根にセットし、ソーラパネル（のフレーム）を支持させた状態を説明する説明図。
【考案を実施するための形態】
【０００８】
以下、本考案の折半屋根に使用されるソーラパネルのフレーム支持用の支持金具を具体化した実施の形態を図面に基づいて説明する。
図１及び図２に示すように、折半屋根に使用されるソーラパネルのフレーム支持用の支持金具（以下、支持金具）１は別体で構成されたベース金具２とブラケット金具３から構成されている。ベース金具２は上冠部５と、上冠部５と一体的にプレス成形されて形成されたハの字状下垂部６とから構成されている。上冠部５は水平部７と同水平部７の左右両端位置から直交方向に下垂される下垂部８とから構成された端面視において逆チャンネル状の外形形状とされている。ハの字状下垂部６は両下垂部８の下端位置からそれぞれ斜め外方に向かって拡開するように下垂配置されている。水平部７の中央寄りには方形の開口部９が形成されている。開口部９の長手方向前後位置には上方に屈曲状に形成された屈曲片１０が形成されている。開口部９の左右位置には上方に起立した連結片１１が形成されている。各連結片１１には横方向に並ぶ２つの長孔１１が形成されている。水平部７において屈曲片１０近傍には内外に連通する小孔１２が形成されている。上冠部５とハの字状下垂部６の境界位置には通気孔１４が形成されている。
ハの字状下垂部６には長手方向に水平に３箇所の小孔１２が形成されている。小孔１２近傍の外周位置には逆Ｕ字状となる切り欠き溝１５が形成されている。
【０００９】
ベース金具２の上部にはブラケット金具３が配置されている。図２に示すように、ブラケット金具３は３種のサブ金具の組み合わせから構成されている。第１のサブ金具１６はチャンネル状に屈曲形成した板体から構成されている。第１のサブ金具１６は長方形形状の平面部１６ａと平面部１６ａの左右縁部から下垂される一対の脚部１６ｂから構成されている。両脚部１６ｂの外側面の間隔は両連結片１１の内側面の間隔と略一致する。平面部１６ａ及び各脚部１６ｂには内外に連通する小孔１２が形成されている。
左右一対の第２のサブ金具１７は略Ｌ字状の板体から構成されている。第２のサブ金具１７は取り付け状態で上下方向に延出される縦板部１７ａと、水平に延出される横板部１７ｂと、横板部１７ｂ先端の縦板部１７ａ方向に向くように鉤状に形成されたフック部１７ｃとから構成されている。各第２のサブ金具１７には３箇所に長孔１３が形成されている。
第３のサブ金具１８は側面視において階段状に屈曲形成された板体から構成されている。第３のサブ金具１８は取り付け状態で上部位置において前方に延出された上部押さえ板部１８ａと、下部位置で上部押さえ板部１８ａと平行にかつ後方に延出された下部固定板部１８ｂと、上部押さえ板部１８ａと下部固定板部１７ｂとの間に配設された縦板部１８ｃと、縦板部１８ｃの上部寄り左右縁から後方に向かって延出された取り付け耳部１８ｄとから構成されている。下部固定板部１８ｂ及び各取り付け耳部１８ｄには内外に連通する小孔１２が形成されている。
【００１０】
ブラケット金具３は次のようにベース金具２に組みつけられている。第１のサブ金具１６の脚部１６ｂを左右の連結片１１の内側に配置され、左右の連結片１１の外側にそれぞれ鏡像状態に第２のサブ金具１７を配置する。また、第３のサブ金具１８は第１のサブ金具１６の平面部１６ａ上に下部固定板部１８ｂが当接するように配置する。そして、各金具１６〜１８の小孔１２又は長孔１３に対して締結部材としてのキャップネジ２０を螺合させて締め付けて固定する（図１の状態）。
【００１１】
次に、このように構成された支持金具１を折半屋根Ｒにセットし、更にソーラパネルをこの支持金具１に支持させる際の支持方法について説明する。本実施の形態におけるソーラパネルＳは周囲を断面コの字状に形成したパネルフレーム２３で補強されている。図示しないパネル本体はパネルフレーム２３の上側板部２３ａに貼着されている（図５ではパネルフレーム２３のみを表示）。
図３に示すように、支持金具１を折半屋根Ｒの上部位置にベース金具２の上冠部５が冠着されるようにセットし、リベット２１を水平部７とハの字状下垂部６の各小孔１２に対して図示しないリベッターを使用して打ち込んでいく。この際に図３に示すように折半屋根Ｒの上面及び斜面との間に防水ゴムシート２２を配置しておく。
この際に折半屋根Ｒは必ずしもベース金具２のハの字状下垂部６が正確に折半屋根Ｒの斜面に密着できるわけではなく、互いに平面とは限らず傾斜角度も異なることが多い。ここで、リベット２１を打ち込んだ際に切り欠き溝１５よりも内側領域がリベット２１の打ち込みに伴って引き寄せられ防水ゴムシート２２を介して折半屋根Ｒの斜面に密着することとなる。つまり、切り欠き溝１５よりも外側はリベット２１による引き寄せがないため形状によってはハの字状下垂部６と折半屋根Ｒの斜面との間には若干の隙間が形成される場合があり、少なくとも切り欠き溝１５よりも内側領域のみは折半屋根Ｒの斜面に密着させられることとなり、リベット２１により開けられた折半屋根Ｒの貫通孔から雨水が浸入することが防止される。
【００１２】
図４に示すように、折半屋根Ｒは一般に屋根自体に傾斜がない。そのためソーラパネルＳの上面を太陽に向かって指向させるために（発電効率を上げるために太陽方向に向けて傾斜状態で設置するために）高さの異なる支持金具１，３１を向かい合わせでセットするようにしている。日本では基本的に北側に配置される支持金具３１側に対して嵩上げ用フレーム２５を使用してブラケット金具３の位置を高くする。支持金具３１は上記支持金具１と同様にベース金具２とブラケット金具３を基本的な構成として備えている（支持金具３１は支持金具１と基本的に共通する構成であるため説明は省略する）。ベース金具２とブラケット金具３の間に断面コ字状の嵩上げ用フレーム２５が連結されている。支持金具３１も支持金具１に準じてリベット２１により固定する。
このように対抗配置された一対の支持金具１，３１は図４において手前側から奥側に向かって四隅寄りに適度な間隔で配置され、図５に示すようにパネルフレーム２３の両端を縦板部１８ｃに側端面が当接された状態でブラケット金具３の第１のサブ金具１６の平面部１６ａと第３のサブ金具１８の上部押さえ板部１８ａの間で挟持される。図４及び図５に示すように、このように挟持された状態でブラケット金具３の第２のサブ金具１７の先端のフック部１７ｃはソーラパネルＳのパネルフレーム２３の下側板部２３ｂの上方位置に交差状に配置されることとなる。これによって万一パネルフレーム２３が外力によって平面部１６ａと上部押さえ板部１８ａ間から脱落したとしても少なくともフック部１７ｃがパネルフレーム２３の下側板部２３ｂと干渉するため直ちにパネルフレーム２３がブラケット金具３から完全に外れてしまうことが防止される。
【００１３】
尚、この考案は、次のように変更して具体化することも可能である。
・切り欠き溝１５を逆Ｖ字状に形成してもよい。
・ベース金具２やブラケット金具３の構成について上記は一例であって、他の構成で実施することは自由である。
・その他、本考案の趣旨を逸脱しない態様で実施することは自由である。
【符号の説明】
【００１４】
１，３１…支持金具、２…ベース金具、３…ブラケット金具、５…上冠部、６…ハの字状下垂部、７…水平部、８…下垂部、１２…透孔、１５…切り欠き溝。
【図１】
0003176957.tif 000003
【図２】
0003176957.tif 000004
【図３】
0003176957.tif 000005
【図４】
0003176957.tif 000006
【図５】
0003176957.tif 000007